(57)【要約】【課題】異物捕捉能力の維持が容易なタオル処理機を提供する。【解決手段】このタオル処理機１は、第１搬送ベルト２上を搬送されたタオルＰをその間に挟み込み異物を捕捉する異物捕捉上側ローラ３及び異物捕捉下側ローラ４と、異物捕捉上側ローラ３及び異物捕捉下側ローラ４によって送り出されたタオルＰをその間に挟み込み得る牽引上側ローラ５及び牽引下側ローラ６と、異物捕捉上側ローラ３及び異物捕捉下側ローラ４に捕捉された異物を捕捉する異物再捕捉上側体８及び異物再捕捉下側体９と、を備えており、異物捕捉上側ローラ３及び異物捕捉下側ローラ４は、その回転方向と逆方向に毛を揃えて傾斜させたブラシ部材が巻き付けられており、牽引上側ローラ５及び牽引下側ローラ６がタオルＰを挟み込んでいるとき、異物捕捉上側ローラ３及び異物捕捉下側ローラ４は、牽引上側ローラ５及び牽引下側ローラ６よりも回転速度が遅く、その間をタオルＰが摺動する。【選択図】図２
2014181121.tif 000002
【特許請求の範囲】
【請求項１】
載置されたタオルを前方側から後方側に搬送する第１搬送ベルトと、
第１搬送ベルトの後方側に上下に配されて回転し、第１搬送ベルト上を搬送された前記タオルをその間に挟み込み異物を捕捉する異物捕捉上側ローラ及び異物捕捉下側ローラと、
該異物捕捉上側ローラ及び異物捕捉下側ローラの後方側に上下に配されて回転し、前記異物捕捉上側ローラ及び異物捕捉下側ローラによって後方側に送り出された前記タオルをその間に挟み込み得る牽引上側ローラ及び牽引下側ローラと、
該牽引上側ローラ及び牽引下側ローラによって後方側に送り出された前記タオルを載せて後方側に搬送する第２搬送ベルトと、
前記異物捕捉上側ローラに接触して配され、それに捕捉された異物を捕捉する異物再捕捉上側体と、
前記異物捕捉下側ローラに接触して配され、それに捕捉された異物を捕捉する異物再捕捉下側体と、を備えており、
前記異物捕捉上側ローラ及び異物捕捉下側ローラは、その回転方向と逆方向に毛を揃えて傾斜させたブラシ部材が前記タオルに接する外周面に巻き付けられており、
前記牽引上側ローラ及び牽引下側ローラが前記タオルを挟み込んでいるとき、前記異物捕捉上側ローラ及び異物捕捉下側ローラは前記牽引上側ローラ及び牽引下側ローラよりも回転速度が遅く、前記タオルが前記牽引上側ローラ及び牽引下側ローラに牽引されて前記異物捕捉上側ローラ及び異物捕捉下側ローラの間を摺動し、前記異物捕捉上側ローラ及び異物捕捉下側ローラが前記タオルの異物を捕捉することを特徴とするタオル処理機。
【請求項２】
請求項１に記載のタオル処理機において、前記タオルの先端部が前記異物捕捉上側ローラ及び異物捕捉下側ローラの間を通過し、前記牽引上側ローラ及び牽引下側ローラが前記タオルを挟み込む直前で、又は挟み込んだとき、異物捕捉上側ローラ及び異物捕捉下側ローラの回転速度が変化し、異物捕捉上側ローラ及び異物捕捉下側ローラによる前記タオルの送り出し速度は、牽引上側ローラ及び牽引下側ローラによる前記タオルの送り出し速度よりも遅くなることを特徴とするタオル処理機。
【請求項３】
請求項１に記載のタオル処理機において、
異物捕捉上側ローラ及び異物捕捉下側ローラによる前記タオルの送り出し速度は、牽引上側ローラ及び牽引下側ローラによる前記タオルの送り出し速度よりも常に遅いことを特徴とするタオル処理機。
【請求項４】
請求項１〜３のいずれか１項に記載のタオル処理機において、
前記異物再捕捉上側体は、前記異物捕捉上側ローラの回転方向と逆方向に毛を揃えて傾斜させたブラシ部材が表面に設けられ、
前記異物再捕捉下側体は、前記異物捕捉下側ローラの回転方向と逆方向に毛を揃えて傾斜させたブラシ部材が表面に設けられていることを特徴とするタオル処理機。
【発明の詳細な説明】
【技術分野】
【０００１】
本発明は、飲食店などで使用されるタオルを、清潔な状態にして繰り返し使用可能にする、すなわち再利用し得るタオル処理機に関する。
【背景技術】
【０００２】
飲食店などで来客に提供される布製のおしぼり用のタオルは、通常、使用後に回収し、洗浄などを含む工程を経た後、更に、残った毛髪等の異物を除去し、殺菌して丸く畳み、袋詰めにより包装し、再び清潔なタオルとして提供するようにして再利用されている。
【０００３】
このようなタオルの再利用における異物除去のためのタオル処理機には、外周面に粘着層が形成された異物捕捉ローラを用いるものが知られている。例えば、特許文献１には、タオルの両面の異物を捕捉するために、外周面に粘着層が形成された２個の異物捕捉ローラを用いたものが提案されている。
【先行技術文献】
【特許文献】
【０００４】
【特許文献１】特開２０１１−２３６０３９号公報
【発明の概要】
【発明が解決しようとする課題】
【０００５】
しかしながら、外周面に粘着層が形成された異物捕捉ローラは、粘着層の粘着力が低下し異物捕捉の能力低下がみられると、多層に積層した粘着シートを１枚剥離して表面に新しい粘着層を露出させたり、粘着層がなくなったら新しい多層に積層した粘着シートに交換したりして、異物捕捉の能力を維持させなければならない。よって、タオル処理機の異物捕捉能力の維持のために必要とされる作業時間は、比較的長くならざるを得なかった。
【０００６】
本発明は、係る事由に鑑みてなされたものであり、その目的は、異物捕捉能力の維持が簡単な作業で行えてその作業時間を短縮することができるタオル処理機を提供することにある。
【課題を解決するための手段】
【０００７】
上記目的を達成するために、請求項１に記載のタオル処理機は、載置されたタオルを前方側から後方側に搬送する第１搬送ベルトと、第１搬送ベルトの後方側に上下に配されて回転し、第１搬送ベルト上を搬送された前記タオルをその間に挟み込み異物を捕捉する異物捕捉上側ローラ及び異物捕捉下側ローラと、該異物捕捉上側ローラ及び異物捕捉下側ローラの後方側に上下に配されて回転し、前記異物捕捉上側ローラ及び異物捕捉下側ローラによって後方側に送り出された前記タオルをその間に挟み込み得る牽引上側ローラ及び牽引下側ローラと、該牽引上側ローラ及び牽引下側ローラによって後方側に送り出された前記タオルを載せて後方側に搬送する第２搬送ベルトと、前記異物捕捉上側ローラに接触して配され、それに捕捉された異物を捕捉する異物再捕捉上側体と、前記異物捕捉下側ローラに接触して配され、それに捕捉された異物を捕捉する異物再捕捉下側体と、を備えており、前記異物捕捉上側ローラ及び異物捕捉下側ローラは、その回転方向と逆方向に毛を揃えて傾斜させたブラシ部材が前記タオルに接する外周面に巻き付けられており、前記牽引上側ローラ及び牽引下側ローラが前記タオルを挟み込んでいるとき、前記異物捕捉上側ローラ及び異物捕捉下側ローラは前記牽引上側ローラ及び牽引下側ローラよりも回転速度が遅く、前記タオルが前記牽引上側ローラ及び牽引下側ローラに牽引されて前記異物捕捉上側ローラ及び異物捕捉下側ローラの間を摺動し、前記異物捕捉上側ローラ及び異物捕捉下側ローラが前記タオルの異物を捕捉することを特徴とする。
【０００８】
請求項２に記載のタオル処理機は、請求項１に記載のタオル処理機において、前記タオルの先端部が前記異物捕捉上側ローラ及び異物捕捉下側ローラの間を通過し、前記牽引上側ローラ及び牽引下側ローラが前記タオルを挟み込む直前で、又は挟み込んだとき、異物捕捉上側ローラ及び異物捕捉下側ローラの回転速度が変化し、異物捕捉上側ローラ及び異物捕捉下側ローラによる前記タオルの送り出し速度は、牽引上側ローラ及び牽引下側ローラによる前記タオルの送り出し速度よりも遅くなることを特徴とする。
【０００９】
請求項３に記載のタオル処理機は、請求項１に記載のタオル処理機において、異物捕捉上側ローラ及び異物捕捉下側ローラによる前記タオルの送り出し速度は、牽引上側ローラ及び牽引下側ローラによる前記タオルの送り出し速度よりも常に遅いことを特徴とする。
【００１０】
請求項４に記載のタオル処理機は、請求項１〜３のいずれか１項に記載のタオル処理機において、前記異物再捕捉上側体は、前記異物捕捉上側ローラの回転方向と逆方向に毛を揃えて傾斜させたブラシ部材が表面に設けられ、前記異物再捕捉下側体は、前記異物捕捉下側ローラの回転方向と逆方向に毛を揃えて傾斜させたブラシ部材が表面に設けられていることを特徴とする。
【発明の効果】
【００１１】
本発明のタオル処理機によれば、異物捕捉能力の維持は、異物捕捉上側ローラ及び異物捕捉下側ローラの回転毎の異物再捕捉上側体と異物再捕捉下側体による異物の再捕捉と、時々の異物再捕捉上側体の掃除と、によってなし得るので、簡単な作業で行えてその作業時間を短縮することができる。
【図面の簡単な説明】
【００１２】
【図１】本発明の実施形態に係るタオル処理機の概略平面図である。
【図２】同上のタオル処理機の主要部のＡ−Ａ切断線で切断した左側面視の概略断面側面図である。
【図３】同上のタオル処理機の異物捕捉の動作を説明する拡大の概略端面側面図である。
【図４】同上のタオル処理機の異物捕捉上側ローラ及び異物捕捉下側ローラのブラシ部材の毛を模式的に示す拡大の概略断面側面図である。
【図５】同上のタオル処理機の異物捕捉上側ローラ及び異物捕捉下側ローラのブラシ部材の毛の動きを模式的に示す拡大の概略断面側面図である。
【図６】同上のタオル処理機の異物再捕捉上側体と異物再捕捉下側体のブラシ部材の毛を模式的に示す拡大の概略断面側面図である。
【図７】同上のタオル処理機の主要部の概略左側面図である。
【図８】同上のタオル処理機の主要部の概略右側面図である。
【図９】同上のタオル処理機の主要部のＡ’−Ａ’切断線で切断した右側面視の概略断面側面図である。
【発明を実施するための形態】
【００１３】
以下、本発明を実施するための形態を図面を参照しながら説明する。本発明の実施形態に係るタオル処理機１は、洗浄が行われた後のおしぼり用のタオルＰの毛髪等の異物を除去する処理を行うものである。
【００１４】
タオル処理機１は、図１及び図２で示すように、載置されたタオルＰを一方向、すなわち前方側から後方側に搬送する第１搬送ベルト２と、第１搬送ベルト２の後方側に上下に配されて回転し、第１搬送ベルト２上を搬送されたタオルＰをその間に挟み込み異物を捕捉する異物捕捉上側ローラ３及び異物捕捉下側ローラ４と、これら異物捕捉上側ローラ３及び異物捕捉下側ローラ４の後方側に上下に配されて回転し、異物捕捉上側ローラ３及び異物捕捉下側ローラ４によって後方側に送り出されたタオルＰをその間に挟み込み得る牽引上側ローラ５及び牽引下側ローラ６と、これら牽引上側ローラ５及び牽引下側ローラ６によって後方側に送り出されたタオルＰを載せて後方側に搬送する第２搬送ベルト７と、上記の異物捕捉上側ローラ３に接触して配され、それに捕捉された異物を捕捉する異物再捕捉上側体８と、上記の異物捕捉下側ローラ４に接触して配され、それに捕捉された異物を捕捉する異物再捕捉下側体９と、を備えている。
【００１５】
なお、タオル処理機１において作業者が位置する側を前方側（図１においては下方、図２においては右方）、その反対側を後方側（図１においては上方、図２においては左方）とする。また、図１においては、理解を容易にするために、破線でタオルＰの例を示している。また、図２及びその他の後述する図において、符号３ａは異物捕捉上側ローラ３の中心軸部、符号４ａは異物捕捉下側ローラ４の中心軸部、符号５ａは牽引上側ローラ５の中心軸部、符号６ａは牽引下側ローラ６の中心軸部、符号１１ａは後述する第１後方車輪１１の中心軸部、をそれぞれ示している。また、各図においては、各部材を支持する枠組の一部や電気配線などは省略しており、また、背景として遠方に位置する部材の一部は省略している。
【００１６】
以下、タオル処理機１を構成する各部材について詳細に説明する。
【００１７】
第１搬送ベルト２は、前方側に位置する第１前方車輪１０と後方側に位置する第１後方車輪１１の間に閉じて掛け渡されている。第１搬送ベルト２は、駆動車輪である第１後方車輪１１の回転に追従して循環移動（移動して循環）する。第１前方車輪１０を駆動車輪とすることも可能である。第１搬送ベルト２の移動速度は、後に詳述する牽引上側ローラ５及び牽引下側ローラ６によるタオルＰの送り出し速度及び第２搬送ベルト７の移動速度と同じになっている。
【００１８】
異物捕捉上側ローラ３及び異物捕捉下側ローラ４は、その回転方向と逆方向に毛を揃えて傾斜させたブラシ部材３ｂ、４ｂ（図４参照。）が外周面に巻き付けられている。ブラシ部材３ｂ、４ｂの毛は、例えば、衣服等に対して使用するエチケットブラシ（日本シール株式会社の登録商標）の表面に用いられている毛（パイル）の材質（例えば、ナイロン）を用いることが可能である。
【００１９】
異物捕捉上側ローラ３及び異物捕捉下側ローラ４は、図３に示すように、互いに近接しており、互いに逆方向に回転して、前方側から到達したタオルＰを挟み込み後方側に送り出すことができるものである。また、後述するようにして異物捕捉上側ローラ３がタオルＰの上方に向く面（表面）に付着した異物を捕捉し、異物捕捉下側ローラ４がタオルＰの下方に向く面（裏面）に付着した異物を捕捉する。好ましくは、異物捕捉上側ローラ３及び異物捕捉下側ローラ４は、それらの間の距離を、牽引上側ローラ５及び牽引下側ローラ６の間の距離よりも長くしておいて、後述する摺動がスムーズに起こり易いようにする。なお、図３及び後述する図４〜図６においては、回転方向を破線の矢印で示している。また、本願では、近接は、接触している場合を含むものとする。
【００２０】
異物捕捉上側ローラ３及び異物捕捉下側ローラ４は、前方側から第１搬送ベルト２上を搬送されて到達して来たタオルＰをその間に挟み込む。このとき、図４のように傾斜していたブラシ部材３ｂ、４ｂの毛は、図５（ａ）に示すように、伏す（傾斜の向きに撓む）ので、タオルＰの両面の状態にほとんど影響を及ぼさない。タオルＰは、異物捕捉上側ローラ３及び異物捕捉下側ローラ４によって後方側に送り出される。後方側に送り出されたタオルＰは、その先端部が牽引上側ローラ５及び牽引下側ローラ６の間に挟み込まれる。異物捕捉上側ローラ３及び異物捕捉下側ローラ４によるタオルＰの送り出し速度は、牽引上側ローラ５及び牽引下側ローラ６の間にタオルＰが挟み込まれるまでは、牽引上側ローラ５及び牽引下側ローラ６によるタオルＰの送り出し速度と同じか略同じにすることができる。
【００２１】
タオルＰの先端部が異物捕捉上側ローラ３及び異物捕捉下側ローラ４の間を通過し牽引上側ローラ５及び牽引下側ローラ６がタオルＰを挟み込む直前で（又は挟み込んだとき）、異物捕捉上側ローラ３及び異物捕捉下側ローラ４の回転速度が変化し、異物捕捉上側ローラ３及び異物捕捉下側ローラ４によるタオルＰの送り出し速度が遅くなるように制御される。そうすると、異物捕捉上側ローラ３及び異物捕捉下側ローラ４の間のタオルＰは、異物捕捉上側ローラ３及び異物捕捉下側ローラ４によって後方側に送り出されるのではなくて、牽引上側ローラ５及び牽引下側ローラ６に牽引されて、図５（ｂ）に示すように、異物捕捉上側ローラ３及び異物捕捉下側ローラ４の間を後方側に向かって摺動（異物捕捉上側ローラ３及び異物捕捉下側ローラ４に接触しながらスライド）するようになる。
【００２２】
そうすると、ブラシ部材３ｂ、４ｂの毛は、図５（ｂ）に示すように、タオルＰの表面又は裏面に引っかかって起立するように撓み、そして、その毛からタオルＰが離れるとき、元の傾斜に戻りながらタオルＰに付着していた異物を捕捉する。ブラシ部材３ｂ、４ｂの毛に捕捉された異物は、異物捕捉上側ローラ３及び異物捕捉下側ローラ４の回転に伴って、上方又は下方に移動する。こうして、タオルＰの両面（表面及び裏面）の異物は、捕捉される。
【００２３】
このように、タオルＰが牽引上側ローラ５及び牽引下側ローラ６に牽引されて異物捕捉上側ローラ３及び異物捕捉下側ローラ４の間を摺動し、異物捕捉上側ローラ３及び異物捕捉下側ローラ４がタオルＰの異物を捕捉する。なお、タオルＰの先端部付近に摺動できない部分が僅かにできるが、この部分だけに残っているような毛髪等の異物は極めてまれであり、また、この部分を小さくするように、牽引上側ローラ５及び牽引下側ローラ６等の直径を小さくすることも可能である。
【００２４】
牽引上側ローラ５及び牽引下側ローラ６は、互いに近接しており、互いに逆方向に回転して、前述したように、異物捕捉上側ローラ３及び異物捕捉下側ローラ４によって後方側に送り出されたタオルＰをその間に挟み込み、そして、タオルＰを牽引しながら、後方側に送り出す。また、牽引下側ローラ６は、後述する第２後方車輪１２との間に第２搬送ベルト７が閉じて掛け渡されている。よって、タオルＰは、牽引下側ローラ６については、第２搬送ベルト７を介して挟み込まれることになる。牽引上側ローラ５は、タオルＰを牽引し易いように、その外周面にゴム材５ｂを巻き付けることも可能である。
【００２５】
第２搬送ベルト７は、前述したように、牽引下側ローラ６とその後方側に位置する第２後方車輪１２の間に閉じて掛け渡されている。第２搬送ベルト７は、牽引下側ローラ６の回転に追従して循環移動（移動して循環）する。第２搬送ベルト７の移動速度は、牽引上側ローラ５及び牽引下側ローラ６によるタオルＰの送り出し速度と同じになる。
【００２６】
なお、第２搬送ベルト７が第２後方車輪１２とともに掛け渡される第２前方車輪を、牽引下側ローラ６とは別に設けることも可能である。その場合、タオルＰは、牽引下側ローラ６に直接接触して、異物捕捉上側ローラ５との間に挟み込まれることになる。
【００２７】
異物再捕捉上側体８は、上記の異物捕捉上側ローラ３に捕捉された異物を再度捕捉することで、異物捕捉上側ローラ３の異物捕捉能力を維持する。異物再捕捉上側体８は、形状や材質等が限定されるものではないが、例えば、形状は、図１〜図３に示すような長尺板状で、表面（異物捕捉上側ローラ３に向かう面）が平面状又は凸曲面状のものとすることができる。また、異物再捕捉上側体８の表面には、異物捕捉上側ローラ３及び異物捕捉下側ローラ４の外周面に巻き付けて用いたブラシ部材３ｂ、４ｂと同様な材質のブラシ材８ａを設けることができる。ブラシ材８ａの毛は、図６（ａ）に示すように、異物再捕捉上側体８と異物捕捉上側ローラ３の接する位置において、異物捕捉上側ローラ３の回転方向（接線方向）と逆方向に毛を揃えて傾斜させることになる。
【００２８】
異物再捕捉上側体８に捕捉され溜まった異物がある程度多くなると、作業者は、タオルＰの異物を除去する処理をストップし、異物再捕捉上側体８を取り外し、掃除する。
【００２９】
異物再捕捉下側体９は、静止しており、上記の異物捕捉下側ローラ４に捕捉された異物を再度捕捉することで、異物捕捉下側ローラ４の異物捕捉能力を維持する。異物再捕捉下側体９は、形状や材質等が限定されるものではないが、例えば、形状は、図１〜図３に示すような円柱状とすることができるし、或いは異物再捕捉上側体８と同様な形状にすることも可能である。また、例えば、異物再捕捉下側体９の表面（外周面）の一部又は全部には、ブラシ部材３ｂ、４ｂと同様な材質のブラシ材９ｂを設けることができる。ブラシ材９ｂの毛は、図６（ｂ）に示すように、異物再捕捉下側体９と異物捕捉下側ローラ４の接する位置において、異物捕捉上側ローラ４の回転方向（接線方向）と逆方向に毛を揃えて傾斜させることになる。
【００３０】
異物再捕捉下側体９には、捕捉された異物が溜まり、ある程度多くなると、残りは自然落下する。よって、異物再捕捉下側体９の掃除は必ずしも必要ではない。また、異物再捕捉下側体９は静止させているものであるが、捕捉された異物が溜まると、少し回転させることで、それらを落下させてもよいし、異物再捕捉下側体９を定期的に取り外して掃除してもよい。
【００３１】
このように、タオル処理機１は、異物捕捉能力の維持は、異物捕捉上側ローラ３及び異物捕捉下側ローラ４の回転毎に異物再捕捉上側体８と異物再捕捉下側体９による異物の再捕捉と、時々の異物再捕捉上側体８の掃除と、によってなし得るので、簡単な作業で行えてその作業時間を短縮することができる。また、タオル処理機１は、小型でもある。
【００３２】
次に、タオル処理機１における上記の各部材を駆動制御する運動伝達機構の具体的な一例を説明する。
【００３３】
第１搬送コンベア２の第１後方車輪１１は、主モータ１３の回転軸１３ａの回転が、図７の概略左側面図に示すように、主モータ１３の回転軸１３ａに固定されたスプロケット１４、スプロケット１４に噛み合うチェーン１５、チェーン１５に噛み合い第１後方車輪１１に固定されたスプロケット１６、の順に伝達されて、回転する。牽引下側ローラ６は、主モータ１３の回転軸１３ａの回転が、上記のスプロケット１４、上記のチェーン１５、チェーン１５に噛み合い牽引下側ローラ６に固定されたスプロケット１７、の順に伝達されて、回転する。牽引上側ローラ５は、牽引下側ローラ６の回転が、図８の概略右側面図に示すように、牽引下側ローラ６に固定された歯車１８、歯車１８と噛み合い牽引上側ローラ５に固定された歯車１９、の順に伝達されて、回転する。
【００３４】
異物捕捉上側ローラ３及び異物捕捉下側ローラ４については、以下のようにして主モータ１３の回転軸１３ａの回転又は副モータ２０の回転軸２０ａ（図２参照。）の回転が伝達されて、回転する。副モータ２０の回転軸２０ａの回転速度は、主モータ１３の回転軸１３ａの回転速度とほぼ同じにすることができる。
【００３５】
ここで、主モータ１３の回転軸１３ａの回転は、上記のスプロケット１４、上記のチェーン１５、チェーン１５に噛み合うスプロケット２１、の順に伝達される（図７参照）。ここで、スプロケット２１の半径は大きいために、スプロケット２１の回転速度は、主モータ１３の回転軸１３ａの回転速度よりもかなり遅くなる。また、スプロケット２１は、その回転が伝達されるシャフト２２に一方向にだけ噛み合う。その一方、副モータ２０の回転軸２０ａの回転は、前述した図２に示すように、副モータ２０の回転軸２０ａに固定されたプーリ２３、プーリ２３と次に述べるプーリ２４との間に掛け渡されたベルト２５、プーリ２４、の順に伝達される。プーリ２４は、その回転が伝達されるシャフト２２に一方向にだけ噛み合う。よって、牽引上側ローラ５及び牽引下側ローラ６の間にタオルＰが挟み込まれていないときは、副モータ２０が可動し、プーリ２４の回転が伝達されてシャフト２２が回転する。このとき、スプロケット２１は、シャフト２２に噛み合っていない。牽引上側ローラ５及び牽引下側ローラ６の間にタオルＰが挟み込まれているときは、副モータ２０がストップし、スプロケット２１の回転が伝達されてシャフト２２が回転する。
【００３６】
シャフト２２の回転は、図９の右側面視の概略断面側面図及び前述した図７に示すように、シャフト２２に固定された歯車２５、歯車２５に噛み合う歯車２６、歯車２６が固定されたシャフト２７、シャフト２７に固定されたプーリ２８、プーリ２８と次に述べるプーリ２９との間に掛け渡されたベルト３０、異物捕捉上側ローラ３に固定されたプーリ２９、の順に異物捕捉上側ローラ３に伝達される。また、シャフト２２の回転は、図８に示すように、シャフト２２に固定されたプーリ３１、プーリ３１と次に述べるプーリ３２との間に掛け渡されたベルト３３、異物捕捉下側ローラ４に固定されたプーリ３２、の順に異物捕捉下側ローラ４に伝達される。
【００３７】
牽引上側ローラ５及び牽引下側ローラ６がタオルＰを挟み込む直前又は挟み込んだとき、異物捕捉上側ローラ３及び異物捕捉下側ローラ４の回転速度を変化させるには、光電センサ３４を設置して、光電センサ３４からの光を上方から異物捕捉上側ローラ３と牽引上側ローラ５の間に当て、帰ってきた光の変化を検出することでタオルＰの有無を判定することができる。
【００３８】
以上説明したタオル処理機１の簡略化も可能である。例えば、タオル処理機１の異物捕捉上側ローラ３及び異物捕捉下側ローラ４の回転速度を常に遅くして、それらによるタオルＰの送り出し速度を牽引上側ローラ５及び牽引下側ローラ６によるタオルＰの送り出し速度よりも常に遅くすることも可能である。そうすると、副モータ２０や光電センサ３４などを省略できるので、簡略化され廉価になる。ただし、異物捕捉上側ローラ３及び異物捕捉下側ローラ４の直前においてタオルＰが停滞して皺にならないように第１搬送ベルト２の移動速度も遅くする必要があるため、タオル処理の効率は少し低下する。
【００３９】
以上、本発明の実施形態に係るタオル処理機について説明したが、本発明は、実施形態に記載したものに限られることなく、特許請求の範囲に記載した事項の範囲内でのさまざまな設計変更が可能である。
【００４０】
また、タオル処理機１で処理されたおしぼり用のタオルＰは、殺菌して丸く畳み、袋詰めにより包装されるのが通常であるが、袋詰めせずに多数のタオルＰをまとめて袋や箱などに包装することも可能である。また、タオル処理機１は、その他のタオルＰ、例えば、美容院などで使用されるタオルＰにも用いることが可能である。
【符号の説明】
【００４１】
１    タオル処理機
２    第１搬送ベルト
３    異物捕捉上側ローラ
３ｂ  異物捕捉上側ローラのブラシ部材
４    異物捕捉下側ローラ
４ｂ  異物捕捉下側ローラのブラシ部材
５    牽引上側ローラ
６    牽引下側ローラ
７    第２搬送ベルト
８    異物再捕捉上側体
８ａ  異物再捕捉上側体のブラシ部材
９    異物再捕捉下側体
９ｂ  異物再捕捉下側体のブラシ部材
Ｐ    タオル
【図１】
2014181121.tif 000003
【図２】
2014181121.tif 000004
【図３】
2014181121.tif 000005
【図４】
2014181121.tif 000006
【図５】
2014181121.tif 000007
【図６】
2014181121.tif 000008
【図７】
2014181121.tif 000009
【図８】
2014181121.tif 000010
【図９】
2014181121.tif 000011